(57)【要約】【課題】洗浄作業効率の向上と洗浄効果の向上とを同時に実現した洗浄用具を提供する。【解決手段】容器３に収容された洗浄剤３２が、本体部２に収容された送液機構４によって吐水管５を介して擦掃部６の近傍に設けられた吐出口５３から吐出される。これにより、被洗浄箇所に洗浄剤３２を吐出しながら、洗浄用具１を持ち替えることなく洗浄作業を行うことが可能となる。また、形状が複雑な被洗浄箇所、例えばトイレの便器等を洗浄する場合、擦掃部６を便器裏側まで入り込ませることができ、また、便器裏側に対して直接洗浄剤３２を吐出することができるため、隅々まで均一に洗浄することが可能となる。【選択図】図１
2007037967.tif 000002
【特許請求の範囲】
【請求項１】
洗浄剤を圧送する送液機構が内部に収容された筒部と、該筒部の一端から延出したアーム部と、前記アーム部の先端に設けられた基台部とを有する本体部と、前記筒部の他端側に着脱自在又は固定的に取り付けられ、内部に収容された洗浄剤を前記送液機構に供給するための容器と、前記アーム部の内部に配設されて、前記送液機構から洗浄剤が送液される吐出管と、前記基台部に取り付けられる擦掃部と、前記擦掃部近傍に配設され、前記吐出管から送込まれた洗浄剤を吐出する吐出口とを具備してなることを特徴とする洗浄用具。
【請求項２】
洗浄剤を圧送する送液機構が内部に収容され、把持部を有する筒部と、該筒部の一端から延出したアーム部と、前記アーム部の先端に設けられた基台部とを有する本体部と、前記筒部の他端側に着脱自在又は固定的に取り付けられ、内部に収容された洗浄剤を前記送液機構に供給するための容器と、前記アーム部の内部に配設されて、前記送液機構から洗浄剤が送液される吐出管と、前記基台部に取り付けられる擦掃部と、前記擦掃部近傍に配設され、前記吐出管から送込まれた洗浄剤を吐出する吐出口とを具備してなり、前記擦掃部を弾性変形が可能な弾性材で形成したことを特徴とする洗浄用具。
【請求項３】
前記筒部の長さ方向に対する前記擦掃部の上面の角度が２０〜９０°であることを特徴とする請求項１または２に記載の洗浄用具。
【請求項４】
前記筒部の長さ方向に対する前記吐出口からの洗浄剤の吐出角度が２０〜１１０°であることを特徴とする請求項１ないし３のいずれか１項に記載の洗浄用具。
【請求項５】
前記吐出口は、吐出された前記洗浄剤が前記擦掃部の表面または内部に広がるような位置に形成されることを特徴とする請求項１ないし４のいずれか１項に記載の洗浄用具。
【請求項６】
前記擦掃部と前記基台部とを互いに着脱自在にする脱着機構を更に備えたことを特徴とする請求項１ないし５のいずれか１項に記載の洗浄用具。
【請求項７】
前記洗浄剤には、少なくとも界面活性剤が含有されていることを特徴とする請求項１ないし６のいずれか１項に記載の洗浄用具。
【請求項８】
前記本体部に、前記送液機構の操作部が設けられており、前記送液機構は、ポンプ式であることを特徴とする請求項１ないし７のいずれか１項に記載の洗浄用具。
【請求項９】
前記本体部に、前記送液機構の操作部が設けられており、前記容器はエアゾール式で洗浄剤を容器外に吐出するものであり、前記送液機構は、前記容器から吐出された洗浄剤を前記吐出管に送液するものであることを特徴とする請求項１ないし７のいずれか１項に記載の洗浄用具。
【請求項１０】
前記把持部またはその近傍に、前記送液機構を操作して前記吐出管から前記洗浄剤を吐出させる操作部を形成したことを特徴とする請求項２ないし９のいずれか１項に記載の洗浄用具。
【発明の詳細な説明】
【技術分野】
【０００１】
本発明は、洗浄剤を吐出して被洗浄箇所を洗浄する洗浄用具に関する。
【背景技術】
【０００２】
従来、一般に、トイレ、浴室、厨房等の床や壁のタイルや便器等の硬表面の洗浄は、容器入りの洗浄剤を直接被洗浄箇所に吐出、塗布してブラシ等の洗浄用具で擦掃するか、又は前記洗浄剤をブラシに吐出して滲み込ませてから被洗浄箇所を擦掃することによって行っていた。
【０００３】
しかしながら、この方法では、ブラシ及び洗浄剤容器が別個に独立しているため、洗浄作業中に容器から洗浄剤を吐出して、被洗浄箇所又はブラシへ洗浄剤を供給する作業が煩雑となり、洗浄作業の効率の点で改善が望まれていた。
【０００４】
洗浄作業の効率を改善するため、ブラシ等の擦掃部と洗浄剤容器とを一体化した洗浄用具が提案されている。例えば、清掃用液剤を収納した液剤容器と、流出孔を有する隔壁を有する中間支持体と、この中間支持体に取り付けられた弾性塗布体などよりなり、前記液剤容器には予めこの液剤容器を密封する蓋材が設けられて清掃用液剤が密封包装された洗浄用具が知られている。こうした洗浄用具は、使用時に前記中間支持体に液剤容器を取り付け、流出孔より清掃用液剤を弾性塗布体に流出させ、前記液剤容器の容器本体の頸部には係合部が設けられ、一方、前記中間支持体には、前記液剤容器の頸部と係合接続する容器接続部が設けられ、且つ前記隔壁が押圧によって変形して開口するように設けられている（例えば、特許文献１）。
【０００５】
また、洗浄剤を収容した容器が洗浄用具の柄部となるように構成され、弾性変形させることによって洗浄剤を吐出する容器と、擦掃部の背部に設けられて前記容器が脱着可能に取り付けられる中空筒と、該中空筒に設けられ、前記容器から吐出された洗浄剤が貯留される洗浄剤溜と、球弁によって前記容器から洗浄剤溜への洗浄剤の吐出を防止する弁と、擦掃部の背部から擦掃部へ通ずる通孔とを具備した洗浄用具が提案されている（例えば、特許文献２）。
【０００６】
また、擦掃部の手持ちの柄の一端に、洗浄剤を収容した容器を把持する洗浄剤把持具を取り付けた洗浄用具が提案されている（例えば、特許文献３）。
【０００７】
さらに、洗浄剤を収容する容器と、該容器内に洗浄剤を吐出するノズル及び該ノズルの操作部と、擦掃部が取り付けられた棒状のロッド部材と、前記ノズルの操作部に係合されてロッド部材の基端側へ延伸される引張部材と、該引張部材を前記ロッド部材の基端側へ向けて引っ張る操作部材とを具備した洗浄用具が提案されている（例えば、特許文献４）。
【特許文献１】特開平７−３１３４２１号公報
【特許文献２】実開昭６２−９２７２３号公報
【特許文献３】特開２０００−７９０２０号公報
【特許文献４】登録実用新案第３０８１９４３号公報
【発明の開示】
【発明が解決しようとする課題】
【０００８】
上述した特許文献１に記載の洗浄用具は、使用時に中間支持体に密封包装された液剤容器を取り付け、隔壁が押圧によって変形して開口するように設けた流出孔より清掃用液剤を弾性塗布体に流出させ、清掃あるいはワックス掛けに用いるものである。
しかしながら、こうした洗浄用具では、洗浄剤を容器から弾性塗布体に流出させる際に、中間支持体あるいはそれに取り付けられたロッドを被洗浄面に押し当てる操作が必要になり、洗浄剤を吐出するために比較的大きな力を要し、操作性が悪いという課題があった。また、この吐出操作にあたって、吐出される洗浄剤の量を把握しづらく、しばしは適量よりも多い洗浄剤を吐出させて液垂れを招いてしまったり、逆に吐出量が適量よりも少なすぎて十分な洗浄効果が得られないといった使用上の課題があった。
【０００９】
一方、特許文献２に記載の洗浄用具は、該洗浄用具を上方に向けて立てて球弁を移動させて弁を解除した状態とし、容器を弾性変形させて洗浄剤を中空筒に吐出し、中空筒の洗浄剤溜に貯留した洗浄剤が通孔から擦掃部に供給され、該擦掃部で被洗浄箇所を洗浄するというものである。
しかしながら、この洗浄用具では、洗浄剤を容器から洗浄剤溜に吐出させる際は、上述のように、弁を解除するために球弁を移動させる複雑な操作が必要となり、また、洗浄作業中に球弁が移動することによって洗浄剤が流出する虞がある。
【００１０】
特許文献３に記載の洗浄用具は、洗浄剤が収容された容器と擦掃部とが、柄の両端に分けて設けられているため、洗浄剤を被洗浄箇所に対して吐出する際は柄の持ち替えが必要となり、洗浄作業が煩雑となって作業効率が低下する虞がある。また、使用者が持つ柄と擦掃部とは直線的に連なった形となっており、トイレの便器裏側等に擦掃部が行き届かず、洗浄が不完全になる虞がある。また、柄を持ち替える際に、洗浄作業に使用した擦掃部
が直接衣服に触れたり、擦掃部への付着物が衣服や作業場所周辺に飛散することによって汚してしまう虞があった。
【００１１】
さらに、特許文献４に記載の洗浄用具は、ノズルの吐出方向と擦掃部のブラシ形成方向とが異なる向きとなっているため、洗浄剤を被洗浄箇所に吐出して、ロッド部材を持ち替える等の操作によって擦掃部のブラシ形成方向を被洗浄箇所に向け、ブラシ洗浄することになり、作業が煩雑で作業効率が低下する虞がある。また、擦掃部は、ロッド部材一端側の長さ方向に沿った位置と、ロッド部材一端に垂直に設けられた延出部材に沿った位置で、互いに垂直となるように取り付けられているため、トイレ便器等の裏側に擦掃部が行き届かず、洗浄が不完全になる虞があった。
【００１２】
本発明は上記事情に鑑みてなされたもので、洗浄作業効率の向上および洗浄効果の向上とを同時に実現可能な洗浄用具を提供することを目的とする。
【課題を解決するための手段】
【００１３】
上記目的を達成するために、本発明によれば、洗浄剤を圧送する送液機構が内部に収容された筒部と、該筒部の一端から延出したアーム部と、前記アーム部の先端に設けられた基台部とを有する本体部と、前記筒部の他端側に着脱自在又は固定的に取り付けられ、内部に収容された洗浄剤を前記送液機構に供給するための容器と、前記アーム部の内部に配設されて、前記送液機構から洗浄剤が送液される吐出管と、前記基台部に取り付けられる擦掃部と、前記擦掃部近傍に配設され、前記吐出管から送込まれた洗浄剤を吐出する吐出口とを具備してなることを特徴とする洗浄用具が提供される。
【００１４】
また、本発明によれば、洗浄剤を圧送する送液機構が内部に収容され、把持部を有する筒部と、該筒部の一端から延出したアーム部と、前記アーム部の先端に設けられた基台部とを有する本体部と、前記筒部の他端側に着脱自在又は固定的に取り付けられ、内部に収容された洗浄剤を前記送液機構に供給するための容器と、前記アーム部の内部に配設されて、前記送液機構から洗浄剤が送液される吐出管と、前記基台部に取り付けられる擦掃部と、前記擦掃部近傍に配設され、前記吐出管から送込まれた洗浄剤を吐出する吐出口とを具備してなり、前記擦掃部を弾性変形が可能な弾性材で形成したことを特徴とする洗浄用具が提供される。
【００１５】
前記筒部の長さ方向に対する前記擦掃部の上面の角度が２０〜９０°であればよい。また、前記筒部の長さ方向に対する前記吐出口からの洗浄剤の吐出角度が２０〜１１０°であればよい。前記吐出口は、吐出された前記洗浄剤が前記擦掃部の表面または内部に広がるような位置に形成されればよい。前記擦掃部と前記基台部とを互いに着脱自在にする脱着機構を更に備えていてもよい。前記洗浄剤には、少なくとも界面活性剤が含有されていればよい。
【００１６】
前記本体部に、前記送液機構の操作部が設けられており、前記送液機構は、ポンプ式であればよい。あるいは、前記本体部に、前記送液機構の操作部が設けられており、前記容器はエアゾール式で洗浄剤を容器外に吐出するものであり、前記送液機構は、前記容器から吐出された洗浄剤を前記吐出管に送液するものであればよい。また、前記把持部またはその近傍に、前記送液機構を操作して前記吐出管から前記洗浄剤を吐出させる操作部を形成してもよい。
【発明の効果】
【００１７】
本発明の洗浄用具によれば、容器に収容された洗浄剤が、本体部に収容された送液機構によって吐出管を介して擦掃部またはその近傍に設けられた吐出口から吐出される。これにより、被洗浄箇所を洗浄剤の含まれた擦掃部で洗浄用具を持ち替えることなく洗浄作業を行うことが可能となる。また、形状が複雑な被洗浄箇所、例えばトイレの便器等を洗浄する場合、擦掃部を弾性変形させ、便器裏側まで入り込ませることができ、また、洗浄剤を擦掃部に吐出することができるため、洗浄剤を無駄なく洗浄することが可能となる。これにより、洗浄作業の効率向上と洗浄効果の向上とを同時に実現することが出来る。
【発明を実施するための最良の形態】
【００１８】
以下、本発明に係る洗浄用具の実施の形態について、図面を参照して説明する。図１及び図２は、本発明の第１の実施形態における洗浄用具の一例を示すものであり、この洗浄用具１は、洗浄剤３２を圧送する送液機構４が内部に収容された筒部２１と、筒部２１の一端である基端部２１ｆから延出したアーム部２２と、アーム部２２の先端に設けられた基台部２３とを有する本体部２と、筒部２１の他端に着脱自在に取り付けられ、内部に収容された洗浄剤３２を送液機構４に供給する容器３と、アーム部２２の内部に配設されて、送液機構４から洗浄剤３２が送液される吐出管５と、基台部２３に取り付けられる擦掃部６と、基台部２３に取り付けられて擦掃部６の上面６１近傍に配設され、吐出管５から送込まれた洗浄剤３２を吐出する吐出口５３とから概略構成される。
【００１９】
図１に示すように、本体部２は、中空の筒部２１と、この筒部２１の一端の基端部２１ｆから下方に延出したアーム部２２と、このアーム部２２の先端に設けられた基台部２３とを有している。筒部２１の他端には開口部２１ａが設けられており、この開口部２１ａから後述する容器３が筒部２１内部に入り込むように収容されている。開口部２１ａの内面側には、開口部２１ａに沿って環状に容器係止爪２１ｂが形成されている。
【００２０】
筒部２１の中ほどは、この洗浄用具１を把持するための把持部９とされる。筒部２１の長さ方向略中央には、容器受部２１ｃが設けられており、この容器受部２１ｃと前記開口部２１ａとの間に形成された空間は容器収容部２１ｄとして確保される。筒部２１内部の容器受部２１ｃと基端部２１ｆとの間に形成された空間は送液機構収容部２１ｅとして確保され、後述する送液機構４が収容されている。
【００２１】
アーム部２２の内部には、送液機構４に接続された吐出管５が配設されている。図示例では、アーム部２２は細長に形成され、基端部２１ｆから先端方向へ向けて全体的にカーブした曲線状となっているが、直線状であっても、他の形状であっても良い。また、図示例では、アーム部２２は中空形状となっているが、例えばＵ字状やＨ字状に形成しても良い。
【００２２】
基台部２３は、アーム部２２の先端にアーム部２２よりも太くなるように設けられており、その端部２３ａに擦掃部６が一体に取り付けられている。また、基台部２３の側部から、吐出管５の先端部５２ａが突き出され、その吐出口５３は、擦掃部６の表面に向けて洗浄剤３２が吐出される角度に設けられている。
【００２３】
本体部２の筒部２１は、洗浄用具１を使用する際に把持部９として機能する。筒部２１の太さは、使用者が筒部２１を把持して作業することを考慮し、直径が１５〜４５ｍｍであることが好ましい。筒部２１が１５ｍｍ未満の場合、使用者が持ちにくくなったり、洗浄作業がしにくくなる虞がある。筒部２１が４５ｍｍを越える場合、使用者が把持することはできるが、洗浄作業がしにくくなる虞がある。
【００２４】
また、本体部２の全長は、後述する擦掃部６を含めて２００〜５００ｍｍであることが好ましい。擦掃部６を含めた本体部２の全長が２００ｍｍ未満の場合、洗浄作業時にはねた水が手にかかる虞があり、衛生上の問題がある。５００ｍｍを越える場合は、洗浄用具１の操作性が低下する虞がある。
【００２５】
筒部２１は、長さ方向に分割した構成とすることもできる。筒部２１を分割して、洗浄用具１の購入後又は使用時に連結する構成とすれば、洗浄用具１を構成する１部品あたりの寸法を最大限短くすることが可能となる。これにより、洗浄用具１の収納性が向上し、また、収納用具１の販売時の陳列性や携帯性を向上させることができる。
【００２６】
容器３は、内部に洗浄剤３２等の液体が収容される有底筒状の容器であり、口部３１には送液穴３１ａが形成される。容器３の胴部３３の長さ方向略中央には、係止溝３３ｃが形成されている。容器３は、前記筒部２１の開口部２１ａに対して、口部３１側を入り込ませるようにして筒部２１内に収容され、容器３の胴部３３のうち、係止溝３ａよりも口部３１寄りの被収容部３３ａが、前記筒部２１内部に収容されるようになっている。
【００２７】
胴部３３のうち、係止溝３ａよりも底部３４寄りの露出部３３ｂ及び底部３４は筒部２１の外部に露出するようになっている。口部３１は、筒部２１の容器受部２１ｃによって支持される。容器３は、係止溝３１ａと筒部２１の容器係止爪２１ｂとが係合することによって筒部２１に着脱可能に固定されている。
【００２８】
図示例では、容器３が、長さ方向の略半分程度が筒部２１に収容されるようになっているが、容器３が完全に筒部２１内に収容されるように構成しても良いし、又は容器３のほぼ全体が筒部２１の外に露出するように構成しても良く、図示例には限定されない。また、容器３は、筒部２１（本体部２）に対して固定した構成としても良く、この場合は、容器３に洗浄剤３２を補給する補給口を設けておけば良い。また、容器３は口部３１がネジとなっているネジ式ボトルでもよい。また、容器３の形状は、断面形状を円形又は楕円形とすれば、容器３の強度確保の点で好ましいが、断面形状が矩形であっても良いし、角部が曲面状に形成された矩形や矩形と曲面の組み合わされた形状であっても良い。
【００２９】
容器３の材質は、特に限定されない。例えば、アルミニウム、チタン等の金属類や各種合金、ポリプロピレン、ポリエチレン、ポリスチレン、ナイロン、ポリエステル、ＡＢＳ、アクリル等のプラスチック類、木材、カーボンファイバー、エラストマー、ゴム等の素材を、１種類或いは２種類以上を組み合わせて用いることもできる。
【００３０】
また、容器３の長さ方向の形状としては、図示例では直線状のものを用いているが、これには限定されず、例えば、湾曲状、くの字状、部分的にカーブした形状等、適宜決定できる。容器３の容量は、２０〜４００ｍｌが好ましく、４０〜３００ｍｌであればより好ましい。さらに、４０〜２００ｍｌであればより一層好ましい。容器３の容量が２０ｍｌ未満の場合、洗浄用具１を使用した際に洗浄剤切れが頻繁に起こる虞がある。また、容器３の容量が４００ｍｌを越える場合、洗浄用具１全体が重くなることによって操作性が低下する虞がある。また、図示例では、洗浄剤３２を収容した容器３を１台だけ使用しているが、複数であっても良い。例えば、筒部２１への付け替えや洗浄剤３２の詰め替えが行われる容器とは別に、補助容器を設けても良い。
【００３１】
容器３に収容される洗浄剤３２は界面活性剤が含まれていることが好ましい。界面活性剤としては、陰イオン界面活性剤、陽イオン界面活性剤、両性界面活性剤、非イオン界面活性剤など、特に限定されることなく従来公知のものを任意に用いることができる。その代表的な例としては次の通りであり、これらは単独で用いても、あるいは２種以上組み合わせて用いてもよい。
（１）陰イオン性界面活性剤としては、疎水基の炭素数が８〜２２（Ｃ８からＣ２２）のアルキル硫酸エステル塩、ポリオキシエチレンアルキルエーテル硫酸エステル塩、アルキルベンゼンスルホン酸塩、アルキルスルホン酸塩、α−オレフィンスルホン酸塩、脂肪酸塩、α−スルホ脂肪酸アルキルエステル塩、アルキルエーテルカルボン酸塩、アルキルリン酸エステル塩などが挙げられ、これらの対イオンとしての陽イオンとしては、アルカリ金属イオン、アルカリ土類金属イオン、アルカノールアンモニウムイオン、アンモニウムイオンなどが挙げられる。
（２）陽イオン性界面活性剤としては、疎水基の炭素数が８〜２２（Ｃ８からＣ２２）のアルキルトリメチルアンモニウム塩、牛脂アルキルトリメチルアンモニウム塩、硬化牛脂アルキルトリメチルアンモニウム塩、ジアルキルジメチルアンモニウム塩、アルキル・エチル・ジメチルアンモニウム塩、アルキルジメチルベンジルアンモニウム塩などが挙げられ、これらの対イオンとしての陰イオンとしては、クロライド塩、ブロマイド塩、硫酸塩、メチルサルフェート塩、メチルスルホネート塩、アセテート塩などが挙げられる。具体例としては、オクチルトリメチルアンモニウムクロリド、デシルトリメチルアンモニウムクロリド、ドデシルトリメチルアンモニウムクロリド、ミリスチルトリメチルアンモニウムクロリド、パルミチルトリメチルアンモニウムクロリド、ステアリルトリメチルアンモニウムクロリド、ジオクチルジメチルアンモニウムクロリド、ジデシルジメチルアンモニウムクロリド、ジドデシルジメチルアンモニウムクロリド及び相当するブロミド、ヨージドを挙げることができる。この他に、アルキル基がヒドロキシエチル基又はベンジル基のもの、例えば、ラウリルジメチルベンジルアンモニウムクロリド、パルミチルジメチルヒドロキシエチルアンモニウムクロリド、塩化ベンゼトニウム、塩化ベンザルコニウム、塩化セタルコニウム、塩化セチルピリジニウム、塩化ドデシルピリジニウムを挙げることができる。また、対イオンがアルキル硫酸残基のもの、例えば、ラウリルトリメチルアンモニウムメチルサルフェート、平均炭素数が16〜18のアルキルトリメチルアンモニウムメチルサルフェート、ステアリルトリメチルアンモニウムエチルサルフェートなども用いることができる。
（３）両性界面活性剤としては、疎水基の炭素数が８〜２２（Ｃ８からＣ２２）のアルキルカルボキシベタイン、アルキルスルホベタイン、アルカノイルアミドプロピルベタインなどのベタイン型両性界面活性剤、イミダゾリン型両性界面活性剤、アミノ酸型両性界面活性剤が挙げられる。具体例としては、ラウリルアミドプロピル−Ｎ，Ｎ−ジメチル−酢酸ベタイン、ヤシアルキルアミドプロピル−Ｎ，Ｎ−ジメチル−酢酸ベタイン、ラウリルアミドプロピル−Ｎ，Ｎ−ジメチル−２−ヒドロキシプロピルスルホベタイン、ヤシアルキルアミドプロピル−Ｎ，Ｎ−ジメチルヒドロキシスルホベタイン、ラウリルアミドプロピル−Ｎ，Ｎ−ジメチルプロピルスルホベタイン、ヤシアルキルアミドプロピル−Ｎ，Ｎ−ジメチルプロピルスルホベタイン、ラウリル−Ｎ，Ｎ−ジメチル酢酸ベタイン、ヤシアルキル−Ｎ，Ｎ−ジメチル酢酸ベタイン、２−ラウリル−Ｎ−カルボキシメチル−Ｎ−ヒドロキシエチルイミダゾリニウムベタイン、２−ヤシアルキル−Ｎ−カルボキシメチル−Ｎ−ヒドロキシエチルイミダゾニウムベタインなどが挙げられる。
（４）非イオン性界面活性剤としては、疎水基の炭素数が８〜２２（Ｃ８からＣ２２）のポリオキシエチレンアルキルエーテル、ポリオキシエチレンアルキルフェニルエーテル、脂肪酸アルカノールアミド、アルキルジメチルアミンオキシド（ラウリルジメチルアミンオキシド、ミリスチルジメチルアミンオキシド、ヤシアルキルジメチルアミンオキシド、ミリスチル-ビス（2-ヒドロキシエチル）アミンオキシド、ヤシアルキル-ビス(2-ヒドロキシエチル)アミンオキシドなど)、グリセリン脂肪酸エステル類、ソルビタン脂肪酸エステル類、ショ糖脂肪酸エステル類等が挙げられる。
洗浄剤組成物の界面活性剤以外の成分としては、溶剤、ハイドロトロープ剤、酸、アルカリ剤、キレート剤、ビルダー、再汚染防止剤、pH調整剤としての酸性物質やアルカリ剤、高分子、防腐剤、抗菌剤、除菌剤、殺菌剤、防カビ剤、漂白剤（次亜塩素酸ナトリウムなど）、シリコーンなどのすすぎ向上剤、酵素、蛍光増白剤、天然物などのエキス、香料、消臭剤、色素、酸化防止剤、増粘剤、減粘剤、紫外線吸収剤など通常洗浄剤に使用されるものならばどのようなものでもよく、特に限定されるものではない。また、本発明の液体洗浄剤組成物の残部は、水（精製水、蒸留水、イオン交換水、純水、超純水、海洋深層水など）である。
【００３２】
以下、容器３に収容される洗浄剤３２の好ましい組み合わせ例をいくつか挙げる。
（１）
ラウリルジメチルアミンオキシド  （１．０％）
Ｃ１６−１８ アルキルトリメチルアンモニウムメトサルフェート  （０．７％）
グリコール酸  （０．３％）
クエン酸  （０．５％）
キシレンスルホン酸  （０．７％）
精製水  （残部）
（２）
ラウリルアミノプロピオン酸ナトリウム （０．７％）
Ｃ１６−１８ アルキルトリメチルアンモニウムメトサルフェート  （０．３５ ％）
クエン酸３ナトリウム  （０．１１８％）
クエン酸 （０．１４１％）
ジエチレングリコールモノブチルエーテル  （５．０％）
香料  （０．３％）
精製水 （残部）
（３）
ラウリン酸アミドプロピルベタイン  （０．７％）
Ｃ１６−１８ アルキルトリメチルアンモニウムメトサルフェート  （０．３ ％）
エチレンジアミン４酢酸  （１．０％）
水酸化カリウム （０．５１％）
エタノール （５．０％）
香料  （０．３％）
精製水 （残部）
（４）
ラウリン酸アミドプロピルベタイン （０．７％）
Ｃ１６−１８ アルキルトリメチルアンモニウムメトサルフェート  （０．３％）
クエン酸 （３．０％）
水酸化カリウム （１．８％）
エタノール （１０％）
香料  （０．３％）
精製水 （残部）
（５）
ラウリン酸アミドプロピルベタイン  （０．３％）
直鎖アルキルベンゼンスルホン酸  （０．７ ％）
エデト酸（エチレンジアミン４酢酸）  （１．０％）
ジエチレングリコールモノブチルエーテル  （５．０％）
香料  （０．３％）
色素（青色１号）  （０．００１５％）
水酸化カリウム （ｐＨ調整量（ｐＨ＝６．５））
精製水 （残部）
（６）
ラウリン酸アミドプロピルベタイン  （０．３％）
ＡＥＳ（ポリオキシエチレンアルキルエーテル硫酸ナトリウム）  （０．７ ％）
エデト酸（エチレンジアミン４酢酸）  （１．０％）
ジエチレングリコールモノブチルエーテル  （５．０％）
香料  （０．３％）
色素（青色１号）  （０．００１５％）
水酸化カリウム （ｐＨ調整量（ｐＨ＝６．５））
精製水 （残部）
【００３３】
さらに、具体的な洗浄剤組成物の例としては、特開平１１−２１７６００記載の「洗浄剤組成物」、特開２００４−３２２０７８記載の「スプレー型洗浄製品」、特願２００３−２９４９４６記載の「トイレ用洗浄剤組成物」、特許第３５５８９０７号記載の「硬表面防汚抗菌洗浄剤組成物」、特開平８−２５９９９７記載の「液体洗浄剤組成物」、特許第３４６４５９３号記載の「液体洗浄剤組成物」、特願２００３−３３５７８６記載の「袋状容器入り液体洗浄剤」、特開２００３−１７１６８８や特開２０００−１２９２９２記載の「中性液体洗浄剤組成物」、特許第３１５５０７１号記載の「エアゾール型洗浄剤」、特願２００３−４２９６９４記載の「液体漂白剤組成物および液体漂白剤製品」、特開２００３−２５３２９７記載の「洗浄剤及び洗浄剤製品」、特開平１０−３３０７９３記載の「殺菌力増強剤、殺菌力増強方法及び殺菌洗浄剤組成物」をあげることができるが、特に限定されるものではない。
【００３４】
送液機構４は、容器３に収容された洗浄剤３２を吐出管５へ送り出すものである。送液機構４は、一端側が容器３の口部３１に形成された送液孔３１ａに挿通されている送液パイプ４１と、この送液パイプ４１の他端側に入口４２ａが接続されたポンプ４２と、このポンプ４２を作動させる押し板４４及び押し板４４に連結された操作部（吐出操作部）４５と、前記送液パイプ４１に取り付けられた空気取り込み弁４３とから構成される。操作部（吐出操作部）４５は、筒部２１の把持部９に形成され、把持部９で洗浄用具１を把持した状態で洗浄剤３２の吐出操作を容易に行えるようになっている。
【００３５】
ここで、ポンプ４２は、伸縮性を有する蛇腹部４２ｂが設けられた蛇腹式のポンプであり、蛇腹部４２ｂの圧縮（図１のＦ方向）と伸長復帰の繰り返しにより、入口４２ａからの吸引と出口４２ｄからの吐出とを繰り返すものである。
【００３６】
図２（ａ）、（ｂ）に示すように、送液機構４によって洗浄剤３２を送液する際は、操作部４５をＦ方向へ引き上げて、押し板４４をＦ方向へ移動させる。押し板４４は、ガイド部４４ａにガイドされながら、ポンプ４２の蛇腹部４２ｂを押し上げるようにＦ方向へ移動して蛇腹部４２ｂを圧縮する。操作部４５を復帰させ、蛇腹部４２ｂが伸長復帰する時、送液パイプ４１を通じて容器３内の洗浄剤３２を蛇腹部４２ｂ内部に吸引する。この際、空気取り込み弁４３から容器３内に空気が取り込まれる。
【００３７】
操作部４５を再びＦ方向へ移動して蛇腹部４２ｂを圧縮し、蛇腹部４２ｂ内に吸引してあった洗浄剤３２を、ダンパ部４２ｃを通じて出口４２ｄから吐出する。操作部４５を操作して蛇腹部４２ｂの伸縮作用を繰り返し行うことにより、容器３内から出口４２ｄへの洗浄剤３２の送液を行い、出口４２ｄから吐出する。図１に示すように、出口４２ｄから吐出された洗浄剤３２は、出口４２ｄに接続された吐出管５に送込まれる。
【００３８】
本例においては、ポンプ４２を蛇腹式ポンプで構成して説明しているが、他の方式であっても良く、例えば、図３に示すように、ディスペンサー式のポンプ４６を把持部９に形成した操作部４５ａによって操作する構成としても良いし、トリガースプレーを用いた構成としても良い。
【００３９】
また、図４に示すように、洗浄剤３２が収容されたエアゾール式の容器１３を使用して、送液機構４に送液弁４７を設けた構成としても良い。図４に示した例では、把持部９に形成した操作部４５ｂを操作することによって送液弁４７の開閉動作を行い、容器１３から吐出される洗浄剤３２の吐出管５への送液を制御するようになっている。なお、図３、図４においては、図面を見易くするために、筒部２１及びアーム部２２においては、その輪郭のみを表示した。
【００４０】
図１に示したようなポンプを用いた送液機構４では、洗浄作業中に操作部４５を操作することが必要となるが、使用者が洗浄用具１を把持した状態で、容易に操作できる把持部９に操作部４５が設けられている。図示例では、使用者が把持する筒部２１の把持部９に形成した側面に引き上げ式の操作部４５を配設しているが、これには限定されず、例えば指で操作する押しボタンやレバー及び引き具等を把持部９の側面に設けても良い。
【００４１】
洗浄用具１では、液送機構４にポンプ式のものを用いる場合、上方の容器３より洗浄剤３２を取り込んで下方に吐出する構成となるため、倒立使用可能なポンプを用いることが好ましいが、倒立使用において洗浄剤３２の漏れが生じないものであれば、通常のポンプも使用することができる。
【００４２】
吐出管５は、一端側に設けられた接続端５１と、送液部５２と、他端側に設けられた吐出口５３とを有し、送液部５２がアーム部２２内に配設されている。送液部５２の先端部である吐出端部５２ａは、アーム部２２の先端に設けられた基台部２３から突出して設けられており、図示例では、吐出管５の長さ方向において、吐出端部５２ａの部分が、擦掃部６の表面に向けて洗浄剤３２が吐出されるように曲がった形状となっている。
【００４３】
図１にあるように、基台部２３に吐出端部５２ａが設けられている必要は無く、アーム部２２に吐出端部５２ａが設けられていても良い。また、吐出端部５２ａは図では基台部２３から突出して設けられているが、必ずしも突出している必要はなく、吐出端部５２ａは基台部２３あるいはアーム部２２に内設され、洗浄剤が吐出できるように基台部２３あるいはアーム部２２に開口部が設けられていても良い。
【００４４】
接続端５１には、前記送液機構４の出口４２ｄが接続されており、出口４２ｄから吐出された洗浄剤３２が接続端５１から吐出管５内に送込まれ、送液部５２内を送液されて、吐出口５３から外部へ吐出されるようになっている。吐出端部５２ａの経路には逆止弁５４が設けられている。図示例では、吐出端部５２ａに逆止弁５４を設けているが、この逆止弁５４は、吐出管５の経路において、吐出口５３側に最大限寄せた位置に設けることが、吐出口５３からの洗浄剤３２の漏れを最小限にする点で好ましい。
【００４５】
擦掃部６は、基台部２３の端部２３ａに取り付けられ、端部２３ａへの取付面として機能する上面６１と、該上面６１と反対側の下面６２と、先端面６３とを有している。擦掃部６は、トイレ便器等の被洗浄箇所に押し当てて擦ることによって汚れを擦掃するものであり、様々な被洗浄面が容易に洗浄できるように弾性変形が可能な弾性材で形成されている。こうした弾性変形が可能な弾性材を擦掃部６に使用することで、被洗浄面に倣った形に擦掃部６が弾性変形して、被洗浄面に擦掃部６を密着させることが可能になる。これにより、被洗浄面に付着した汚れをムラなく確実に除去することが可能になる。
【００４６】
擦掃部６の材質としては、布、紙、不織布、プラスチック、ゴム、エラストマー、プラスチック又はゴム又はエラストマーの発泡体、海綿、金属などが挙げられる。好ましくは発泡体、不織布、更に好ましくは脱膜処理したウレタンスポンジ、エアレイド・スパンレースなどが挙げられる。最も好ましくはニードルパンチ、メルトブロー等の手法で作られた嵩高い不織布や、不織布とウレタンスポンジを積層した複合素材が挙げられる。また、擦掃部６は、一種類の素材だけでなく、2種類以上の素材を積層あるいは部分的に組み合わせた擦掃部を用いても良い。
【００４７】
擦掃部６は適度な含水率を有することで、洗浄時の泡立ち性、水切れ性を良好に保つことができる。含水率が高すぎると擦掃部が重くなり、操作がしづらくなったり、清掃後の水切りが面倒となる。逆に含水率が低すぎると、洗浄剤を使用する際に泡立たせにくくなり、泡立てることに時間がかかってしまう。こうした擦掃部６の好ましい含水率は、擦掃部のみを２５℃の水道水に完全に水没させ水中にて約２ｋｇの荷重で１０秒間に１０回擦掃部を圧縮しその後引き上げて３０秒後の擦掃部重量と、含水前の擦掃部重量との重量比を含水率とした時に、１００．１〜４００％であることが好ましい。
【００４８】
前記含水率が４００％を超えると擦掃部６が重くなり、操作がしづらくなったり、清掃後の水切りが面倒となる。前記含水率が１００．１％未満では、洗浄剤を使用する際に泡立たせにくくなり、泡立てることに時間がかかってしまう。
【００４９】
擦掃部６は、植毛タイプ、不織布巻き付けタイプ、スポンジタイプ等、素材については適宜選択できるが、擦掃部全体の２５％圧縮硬さ（ＪＩＳＫ６４００（２００４）準拠）が０．０１５Ｎ／ｃｍ２  〜５０Ｎ／ｃｍ２  であることが好ましい。より良くは、０．０６Ｎ／ｃｍ２  〜７Ｎ／ｃｍ２  であり、更に良くは、０．２２Ｎ／ｃｍ２  〜３．２Ｎ／ｃｍ２  が好ましい。また、擦掃部６の素材は1種類で構成される必要は無く、ウレタンスポンジと不織布とを張り合わせたものや、３種類のスポンジを層状に貼り合わせたものなど、多素材の組合わせ、多層構造のものでもよい。除膜型ポリウレタンフォームが水切れ性及び被洗浄箇所への追随性（フィット性）の点で好ましく、素材の１つとして利用することが好ましい。
【００５０】
擦掃部６の端部２３ａへの取り付けについては、接着やねじ止め等、既存の方法を用いることができる。図１では、端部２３ａが擦掃部６の内部に入り込む形で取り付けられているが、取り付け形態は図１に示す形態には限定されず、端部２３ａと上面６１とが面一となるように取り付けても良い。更には、基台部（擦掃部６の端部２３ａ）と擦掃部に脱着機構を備えていても良く、基台部に錨状突起部を配し擦掃部を突き刺す方法や擦掃部に脱着機構のための部材を配し、基台部と嵌合させる方法等、様々な機構を用いることが出来る。
【００５１】
擦掃部６の端部２３ａへの取り付け方法のバリエーションとしては、例えば、図５に示すように、吐出管９１の先端に形成したネジ９１ａで吐出管９１と擦掃部９０とを連結するもの（図５ａ）、吐出管９２の先端に形成した抜け止め楔を有する針９２ａで擦掃部９０を突き刺して吐出管９２と擦掃部９０とを連結するもの（図５ｂ）、吐出管９３の先端に形成したスライドレール９３ａで吐出管９３と擦掃部９０とを連結するもの（図５ｃ）などが挙げられる。擦掃部が脱着できることで、擦掃部が傷んだり破損した場合に交換することが出来、洗浄用具全体を交換あるいは購入し直す必要が無く、無駄がない。また、擦掃部の用途に合わせて付け替えることが出来るので、様々な形状の被洗浄面に対応可能となる。
【００５２】
擦掃部６はどのような形状であっても良いが、擦掃部の上面から投影された形状がほぼ円状あるいは最外郭を滑らかに結んだ図形がほぼ円状（対称形→点対称、線対称）であることが好ましい。対称形であることでどのような洗浄対称面にも適応でき、擦掃部を均一に使うことが出来る。また、均一に使うことで、擦掃部の劣化を遅らせることが出来る。
【００５３】
擦掃部の大きさとしては、５０ｃｍ３  〜１０００ｃｍ３  であることが好ましい。擦掃部の大きさが小さすぎると洗浄面積が大きいときに手間がかかり、擦掃部の大きさが大きすぎると、洗浄面積が小さい場面に対応できず、また、操作が大変になる。こうした擦掃部の５０％以上が脱膜処理されたウレタンスポンジであり、そのセル数（ＪＩＳ Ｋ６４００（２００４））が４〜２０個／１インチであってもよい。脱膜処理されたウレタンスポンジを使用することで、弾性変形と水切れ性の両方を確保することが出来る。
【００５４】
こうした擦掃部６の上面形状のバリエーションを図６にいくつか示しておく。また、擦掃部の側面形状のバリエーションを図７にいくつか示しておく。擦掃部６をさまざまな形状にすることによって、被洗浄面の形状に応じて最適な擦掃力を発揮できるようになる。
【００５５】
擦掃部６の上面６１の上方近傍には、吐出管５の吐出端部５２ａが配設されている。図示例では、吐出端部５２ａ先端の吐出口５３の向きは、擦掃部６の先端側を向くように、設けられている。洗浄剤は吐出口より吐出された後、擦掃部前方に掛かるように設定されることが好ましいが、擦掃部全体に掛かるように吐出口を配したり、擦掃部の内部に吐出口を配してもよい。
【００５６】
洗浄剤が吐出される吐出口は図１の如く擦掃部６の上面に向けて形成される以外にも、例えば、図８に示すように、擦掃部８１の内部に吐出管８２を延長し、擦掃部８１の内部に吐出口８４を形成するようにしても良い。こうした構造にすることで、洗浄剤が擦掃部８１の内部に吐出され、擦掃部８１に含浸される。これにより、洗浄剤を無駄なく洗浄することが可能となり、洗浄作業の効率向上と洗浄効果の向上とを同時に実現することが出来る。
【００５７】
また、吐出口は１つである必要は無く、２つ以上あってもよい。また、吐出口の形状としては、吐出方向に対して垂直方向から見た形状が円形の他、楕円形、矩形、星型、十字型、葉型、涙型など規定されない。
【００５８】
洗浄用具１を用いて洗浄作業を行う際の洗浄剤３２の吐出量は、操作部４５の操作１回当りで０．１〜５ｍｌが好ましく、０．２〜３ｍｌであればより好ましい。また、０．２〜１ｍｌであればより一層好ましい。操作部４５の操作１回当りの洗浄剤３２の吐出量が０．１ｍｌ未満の場合は、何度も操作部４５を操作して洗浄剤３２を吐出させなければならず、操作が煩雑となる虞がある。また、吐出量が５ｍｌを越える場合は、必要以上に洗浄剤３２を吐出してしまう虞がある。
【００５９】
図９（ａ）、（ｂ）に示すように、本例における洗浄用具１は、筒部２１の長さ方向Ｌに対する擦掃部６の上面６１の傾き角度αが２０〜９０°の範囲となるように構成されていればよい。図９（ａ）は、傾き角度αが９０°の場合を示し、図９（ｂ）は、傾き角度αが４５°の場合を示している。
【００６０】
以下、本発明に係る洗浄用具を使用して洗浄作業を行う形態の一例について、トイレ便器の洗浄作業を例に説明する。図１１に示すように、トイレ便器７は、上縁にリム部７１が設けられており、便器開口部７２側から見て、リム裏部７３、７４が隠れた状態になっている。洗浄用具１では、筒部２１の長さ方向Ｌに対する擦掃部６の上面６１の傾き角度αを２０〜９０°の範囲となるように構成することによって、以下のような作用が得られる。
【００６１】
図１２（ａ）に示す例のように、傾き角度αが９０°の場合、洗浄用具１を便器開口部７２から便器内に挿入することにより、擦掃部６の下面６２或いは先端面６３をリム裏部７３、７４に入り込ませて擦掃することができる。図１２（ｂ）に示した例では、傾き角度αを２０°としており、図１２（ｃ）に示した例では傾き角度αを４０°としているが、何れの場合も図１２（ａ）に示した例と同様、擦掃部６の下面６２或いは先端面６３をリム裏部７３、７４に入り込ませて擦掃することができる。これにより、トイレ便器等の被洗浄箇所を隅々まで均一に洗浄することができる。
【００６２】
本発明の洗浄用具では、傾き角度αが２０°〜９０°の範囲であれば、トイレ便器７のリム裏部７３、７４にまで擦掃部６を入り込ませて擦掃することができる。傾き角度αが２０°未満の場合及び傾き角度αが９０°を越える場合は、洗浄用具１をトイレ便器７の便器開口部７１から挿入して、擦掃部６をリム裏部７３、７４にまで入り込ませるのが困難になる。
【００６３】
本例においては、洗浄用具１を用いてトイレ便器７を洗浄する形態を例に説明しているが、トイレ便器以外の複雑な形状を持つ対象物を洗浄した場合においても同様の効果が得られることは言うまでも無い。
【００６４】
次に、本発明の第２の実施形態について図面を参照して説明する。図１３及び図１４は、本発明の第２の実施形態の洗浄用具を示すものであり、この洗浄用具１０１は、洗浄剤１３２を圧送する送液機構１０４が内部に収容された筒部１２１と、筒部１２１の一端である基端部１２１ｆから延出したアーム部１２２と、アーム部１２２の先端に設けられた基台部１２３とを有する本体部１０２と、筒部１２１の他端に着脱自在に取り付けられ、内部に収容された洗浄剤１３２を送液機構１０４に供給する容器１０３と、アーム部１２２の内部に配設されて、送液機構１０４から洗浄剤１３２が送液される吐出管１０５と、基台部１２３に取り付けられる擦掃部１０６と、基台部１２３に取り付けられて擦掃部１０６の上面１６１近傍に配設され、吐出管１０５から送込まれた洗浄剤１３２を吐出する吐出口１５３とから概略構成される。
【００６５】
図１３に示すように、本体部１０２は、中空の筒部１２１と、この筒部１２１の一端の基端部１２１ｆから下方に延出したアーム部１２２と、このアーム部１２２の先端に設けられた基台部１２３とを有している。筒部１２１の他端には開口部１２１ａが設けられており、この開口部１２１ａから後述する容器１０３が筒部１２１内部に入り込むように収容されている。開口部１２１ａの内面側には、開口部１２１ａに沿って環状に容器係止爪１２１ｂが形成されている。筒部１２１の長さ方向略中央には、容器受部１２１ｃが設けられており、この容器受部１２１ｃと前記開口部１２１ａとの間に形成された空間は容器収容部１２１ｄとして確保される。筒部１２１内部の容器受部１２１ｃと基端部１２１ｆとの間に形成された空間は送液機構収容部１２１ｅとして確保され、後述する送液機構１０４が収容されている。
【００６６】
アーム部１２２の内部には、送液機構１０４に接続された吐出管１０５が配設されている。図１３では、アーム部１２２は細長に形成され、基端部１２１ｆから先端方向へ向けて全体的にカーブした曲線状となっているが、直線状であっても、他の形状であっても良い。また、図示例では、アーム部１２２は中空形状となっているが、例えばＵ字状やＨ字状に形成しても良い。
【００６７】
基台部１２３は、アーム部１２２の先端にアーム部１２２よりも太くなるように設けられており、その端部１２３ａに擦掃部１０６が一体に取り付けられている。また、基台部１２３の側部から、吐出管１０５の先端部１５２ａが突き出され、その吐出口１５３は、擦掃部１０６の先端面１６３側を向くように設けられている。
【００６８】
本体部１０２の筒部１２１は、洗浄用具１０１を使用する際に把持部として機能する。
筒部１２１の太さは、使用者が筒部１２１を把持して作業することを考慮し、直径が１５〜４５ｍｍであることが好ましい。筒部１２１が１５ｍｍ未満の場合、使用者が持ちにくくなったり、洗浄作業がしにくくなる虞がある。筒部１２１が４５ｍｍを越える場合、使用者が把持することはできるが、洗浄作業がしにくくなる虞がある。また、本体部１０２の全長は、後述する擦掃部１０６を含めて２００〜５００ｍｍであることが好ましい。擦掃部１０６を含めた本体部１０２の全長が２００ｍｍ未満の場合、洗浄作業時にはねた水が手にかかる虞があり、衛生上の問題がある。５００ｍｍを越える場合は、洗浄用具１０１の操作性が低下する虞がある。
【００６９】
筒部１２１は、長さ方向に分割した構成とすることもできる。  筒部１２１を分割して、洗浄用具１０１の購入後又は使用時に連結する構成とすれば、洗浄用具１０１を構成する１部品あたりの寸法を最大限短くすることが可能となる。これにより、洗浄用具１０１の収納性が向上し、また、収納用具１０１の販売時の陳列性や携帯性を向上させることができる。
【００７０】
容器１０３は、内部に洗浄剤３２等の液体が収容される有底筒状の容器であり、口部１３１には送液穴１３１ａが形成される。容器１０３の胴部１３３の長さ方向略中央には、係止溝１３３ｃが形成されている。容器１０３は、前記筒部１２１の開口部１２１ａに対して、口部１３１側を入り込ませるようにして筒部１２１内に収容され、容器１０３の胴部１３３のうち、係止溝１０３ａよりも口部１３１寄りの被収容部１３３ａが、前記筒部１２１内部に収容されるようになっている。胴部１３３のうち、係止溝１０３ａよりも底部１３４寄りの露出部１３３ｂ及び底部１３４は筒部１２１の外部に露出するようになっている。口部１３１は、筒部１２１の容器受部１２１ｃによって支持される。容器１０３は、係止溝１３１ａと筒部１２１の容器係止爪１２１ｂとが係合することによって筒部１２１に着脱可能に固定されている。
【００７１】
図示例では、容器１０３が、長さ方向の略半分程度が筒部１２１に収容されるようになっているが、容器１０３が完全に筒部１２１内に収容されるように構成しても良いし、又は容器１０３のほぼ全体が筒部１２１の外に露出するように構成しても良く、図示例には限定されない。また、容器１０３は、筒部１２１（本体部１０２）に対して固定した構成としても良く、この場合は、容器１０３に洗浄剤１３２を補給する補給口を設けておけば良い。また、容器１０３の形状は、断面形状を円形又は楕円形とすれば、容器１０３の強度確保の点で好ましいが、断面形状が矩形であっても良いし、角部が曲面状に形成された矩形であっても良い。
【００７２】
容器１０３の材質は、特に限定されない。例えば、アルミニウム、ポリプロピレン、ポリエチレン、ＡＢＳ、アクリル、木材、カーボン、チタン、各種合金、エラストマー、ゴム等の素材を、１種類或いは２種類以上を組み合わせて用いることもできる。また、容器１０３の長さ方向の形状としては、図示例では直線状のものを用いているが、これには限定されず、例えば、湾曲状、くの字状、部分的にカーブした形状等、適宜決定できる。
容器１０３の容量は、２０〜４００ｍｌが好ましく、５０〜３００ｍｌであればより好ましい。さらに、８０〜２００ｍｌであればより一層好ましい。容器１０３の容量が２０ｍｌ未満の場合、洗浄用具１０１を使用した際に洗浄剤切れが頻繁に起こる虞がある。また、容器１０３の容量が４００ｍｌを越える場合、洗浄用具１０１全体が重くなることによって操作性が低下する虞がある。また、図示例では、洗浄剤１３２を収容した容器１０３を１台だけ使用しているが、複数であっても良い。例えば、筒部１２１への付け替えや洗浄剤１３２の詰め替えが行われる容器とは別に、補助容器を設けても良い。
【００７３】
送液機構１０４は、容器１０３に収容された洗浄剤１３２を吐出管１０５へ送り出すものである。送液機構１０４は、一端側が容器１０３の口部１３１に形成された送液孔１３１ａに挿通されている送液パイプ１４１と、この送液パイプ１４１の他端側に入口１４２ａが接続されたポンプ１４２と、このポンプ１４２を作動させる押し板１４４及び押し板１４４に連結された操作部１４５と、前記送液パイプ１４１に取り付けられた空気取り込み弁１４３とから構成される。ここで、ポンプ１４２は、伸縮性を有する蛇腹部１４２ｂが設けられた蛇腹式のポンプであり、蛇腹部１４２ｂの圧縮（図１３のＦ方向）と伸長復帰の繰り返しにより、入口１４２ａからの吸引と出口１４２ｄからの吐出とを繰り返すものである。
【００７４】
図１４（ａ）、（ｂ）に示すように、送液機構１０４によって洗浄液１３２を送液する際は、操作部１４５をＦ方向へ引き上げて、押し板１４４をＦ方向へ移動させる。押し板１４４は、ガイド部１４４ａにガイドされながら、ポンプ１４２の蛇腹部１４２ｂを押し上げるようにＦ方向へ移動して蛇腹部１４２ｂを圧縮する。操作部１４５を復帰させ、蛇腹部１４２ｂが伸長復帰する時、送液パイプ１４１を通じて容器１０３内の洗浄剤１３２を蛇腹部１４２ｂ内部に吸引する。この際、空気取り込み弁１４３から容器１０３内に空気が取り込まれる。操作部１４５を再びＦ方向へ移動して蛇腹部１４２ｂを圧縮し、蛇腹部１４２ｂ内に吸引してあった洗浄剤１３２を、ダンパ部１４２ｃを通じて出口１４２ｄから吐出する。操作部１４５を操作して蛇腹部１４２ｂの伸縮作用を繰り返し行うことにより、容器１０３内から出口１４２ｄへの洗浄液１３２の送液を行い、出口１４２ｄから吐出する。図１３に示すように、出口１４２ｄから吐出された洗浄液１３２は、出口１４２ｄに接続された吐出管１０５に送込まれる。
【００７５】
本例においては、ポンプ１４２を蛇腹式ポンプで構成して説明しているが、他の方式であっても良く、例えば、図１５に示すように、ディスペンサー式のポンプ１４６を操作部１４５ａによって操作する構成としても良いし、トリガースプレーを用いた構成としても良い。また、図１６に示すように、洗浄剤１３２が収容されたエアゾール式の容器１１３を使用して、送液機構１０４に送液弁１４７を設けた構成としても良い。図１６に示した例では、操作部１４５ｂを操作することによって送液弁１４７の開閉動作を行い、容器１１３から吐出される洗浄剤１３２の吐出管１０５への送液を制御するようになっている。なお、図１５、図１６においては、図面を見易くするために、筒部１２１及びアーム部１２２においては、その輪郭のみを表示した。
【００７６】
図１３に示したようなポンプを用いた送液機構１０４では、洗浄作業中に操作部１４５を操作することが必要となるが、使用者が洗浄用具１０１を把持した状態で、容易に操作できる位置に操作部１４５を設けるのが好ましい。図示例では、使用者が把持する筒部１２１の側面に引き上げ式の操作部１４５を配設しているが、これには限定されず、例えば指で操作する押しボタンやレバー及び引き具等を筒部１２１の側面に設けても良い。洗浄用具１０１では、液送機構１０４にポンプ式のものを用いる場合、上方の容器１０３より洗浄剤１３２を取り込んで下方に吐出する構成となるため、倒立使用可能なポンプを用いることが好ましいが、倒立使用において洗浄剤１３２の漏れが生じないものであれば、通常のポンプも使用することができる。
【００７７】
吐出管１０５は、一端側に設けられた接続端１５１と、送液部１５２と、他端側に設けられた吐出口１５３とを有し、送液部１５２がアーム部１２２内に配設されている。送液部１５２の先端部である吐出端部１５２ａは、アーム部１２２の先端に設けられた基台部１２３から突出して設けられており、図示例では、吐出管１０５の長さ方向において、吐出端部１５２ａの部分が基台先端１２３ｂ側を向くように曲がった形状となっている。接続端１５１には、前記送液機構１０４の出口１４２ｄが接続されており、出口１４２ｄから吐出された洗浄液１３２が接続端１５１から吐出管１０５内に送込まれ、送液部１５２内を送液されて、吐出口１５３から外部へ吐出されるようになっている。吐出端部１５２ａの経路には逆止弁１５４が設けられている。図示例では、吐出端部１５２ａに逆止弁１５４を設けているが、この逆止弁１５４は、吐出管１０５の経路において、吐出口１５３側に最大限寄せた位置に設けることが、吐出口１５３からの洗浄剤１３２の漏れを最小限にする点で好ましい。
【００７８】
擦掃部１０６は、基台部１２３の端部１２３ａに取り付けられ、端部１２３ａへの取付面として機能する上面１６１と、該上面１６１と反対側の下面１６２と、先端面１６３とを有している。擦掃部１０６は、トイレ便器等の被洗浄箇所に押し当てて擦ることによって汚れを擦掃するものであり、植毛タイプ、不織布巻き付けタイプ、スポンジタイプ等、素材については適宜選択できるが、除膜型ポリウレタンフォームが水切れ性及び被洗浄箇所への追随性（フィット性）の点で好ましい。擦掃部１０６の端部１２３ａへの取り付けについては、接着やねじ止め等、既存の方法を用いることができる。また、図示例では、端部１２３ａが擦掃部１０６の内部に入り込む形で取り付けられているが、取り付け形態は図示例に限定されず、端部１２３ａと上面１６１とが面一となるように取り付けても良い。
【００７９】
こうした擦掃部１０６は、第１の実施形態における段落「００４６」〜「００４９」に列記した材質、物理的特性を備えたもので構成されれば良い。また、擦掃部１０６の端部１２３ａへの取り付けについても、第１の実施形態における段落「００５０」「００５１」に記載した取付方法が採用されればよい。さらに、こうした擦掃部１０６の形状に関しても、第１の実施形態における段落「００５２」〜「００５４」に記載した各種形状が採用されればよい。
【００８０】
擦掃部１０６の上面１６１の上方近傍には、吐出管１０５の吐出端部１５２ａが配設されている。図示例では、吐出端部１５２ａ先端の吐出口１５３の向きは、擦掃部１０６の先端側を向くように、上面１６１と平行な向きに設けられている。
【００８１】
洗浄用具１０１を用いて洗浄作業を行う際の洗浄剤１３２の吐出量は、操作部１４５の操作１回当りで０．１〜５ｍｌが好ましく、０．２〜３ｍｌであればより好ましい。また、０．３〜２ｍｌであればより一層好ましい。操作部１４５の操作１回当りの  洗浄剤１３２の吐出量が０．１ｍｌ未満の場合は、何度も操作部１４５を操作して洗浄剤１３２を吐出させなければならず、操作が煩雑となる虞がある。また、吐出量が５ｍｌを越える場合は、必要以上に洗浄剤１３２を吐出してしまう虞がある。
【００８２】
なお、こうした洗浄用具１０１に収容される洗浄剤１３２は、第１の実施形態における段落「００３１」〜「００３３」に列記された各種界面活性剤を含むものが採用されればよい。
【００８３】
図１７（ａ）、（ｂ）に示すように、本例における洗浄用具１０１は、筒部１２１の長さ方向Ｌに対する擦掃部１０６の上面１６１の傾き角度αが２０〜９０°の範囲となるように構成されている。図１７（ａ）は、傾き角度αが９０°の場合を示し、図１７（ｂ）は、傾き角度αが４５°の場合を示している。
【００８４】
図１８（ａ）、（ｂ）に示すように、本例における洗浄用具１０１は、筒部１２１の長さ方向Ｌに対する吐出口１５３の向きの角度、つまり筒部１２１の長さ方向に対する吐出口１５３からの洗浄剤１３２の吐出角度βが２０〜１１０°の範囲となるように構成されている。図１８（ａ）は、傾き角度αが９０°の場合の、傾き角度αと吐出角度β（２０〜１１０°）との関係を示している。図１８（ｂ）は、傾き角度αが４５°の場合の、傾き角度αと吐出角度β（２０〜１１０°）との関係を示している。
【００８５】
上述した第２の実施形態の洗浄用具を使用して洗浄作業を行う形態の一例について、トイレ便器の洗浄作業を例に説明する。図１９に示すように、トイレ便器１０７は、上縁にリム部１７１が設けられており、便器開口部１７２側から見て、リム裏部１７３、１７４が隠れた状態になっている。洗浄用具１０１では、筒部１２１の長さ方向Ｌに対する擦掃部１０６の上面１６１の傾き角度αを２０〜９０°の範囲となるように構成することによって、以下のような作用が得られる。
【００８６】
図２０（ａ）に示す例のように、傾き角度αが９０°の場合、洗浄用具１０１を便器開口部１７２から便器内に挿入することにより、擦掃部１０６の下面１６２或いは先端面１６３をリム裏部１７３、１７４に入り込ませて擦掃することができる。
図２０（ｂ）に示した例では、傾き角度αを２０°としており、図２０（ｃ）に示した例では傾き角度αを４０°としているが、何れの場合も図２０（ａ）に示した例と同様、擦掃部１０６の下面１６２或いは先端面１６３をリム裏部１７３、１７４に入り込ませて擦掃することができる。これにより、トイレ便器等の被洗浄箇所を隅々まで均一に洗浄することができる。
【００８７】
本発明の洗浄用具では、傾き角度αが２０°〜９０°の範囲であれば、トイレ便器１０７のリム裏部１７３、１７４にまで擦掃部１０６を入り込ませて擦掃することができる。傾き角度αが２０°未満の場合及び傾き角度αが９０°を越える場合は、洗浄用具１０１をトイレ便器１０７の便器開口部１７１から挿入して、擦掃部１０６をリム裏部１７３、１７４にまで入り込ませるのが困難になる。
【００８８】
また、洗浄用具１０１では、筒部１２１の長さ方向Ｌに対する吐出口１５３の向きの角度、つまり筒部１２１の長さ方向吐出口１５３からの洗浄剤１３２の吐出角度βが２０〜１１０°の範囲となるように構成することによって、以下のような作用が得られる。
【００８９】
図２０（ａ）に示す例のように、吐出角度βが１１０°の場合、洗浄用具１０１を便器開口部１７２から便器内に挿入することにより、吐出口１５３から吐出される洗浄剤１３２をリム裏部１７３、１７４に直接吐出、塗布することができる。また、図示例では傾き角度αが９０°であるため、リム裏部１７３、１７４に洗浄剤１３２を直接吐出してから、擦掃部１０６で擦掃することができる。図２０（ｂ）に示した例では吐出角度βを２０°、傾き角度αを２０°としており、図２０（ｃ）に示した例では、吐出角度βを１１０°傾き角度αを４０°としている。このため、何れに示した例でも、図２０（ａ）に示した例と同様に、吐出口１５３から吐出される洗浄剤１３２をリム裏部１７３、１７４に直接吐出、塗布することができ、リム裏部１７３、１７４を擦掃部１０６で擦掃することができる。これにより、トイレ便器等の被洗浄箇所を隅々まで均一に洗浄することができる。
【００９０】
本発明の洗浄用具では、吐出角度βが２０°〜１１０°の範囲であれば、トイレ便器１０７のリム裏部１７３、１７４に向けて洗浄剤１３２を直接吐出、塗布することができる。吐出角度βが２０°未満の場合、リム裏部１７３、１７４に向けて洗浄剤１３２が直接吐出、塗布することが困難となり、トイレ便器１０７内の他の箇所に向けて吐出される虞がある。また、吐出角度βが１１０°を越える場合は、吐出口１５３から吐出される洗浄剤１３２が便器開口部１７２から外部へ向けて吐出される虞がある。トイレ便器の掃除においては、洗浄剤１３２を効率よくリム裏部１７３、１７４に吐出、塗布することが求められるが、本発明の洗浄用具では、上述の構成により、洗浄作業の効率向上と洗浄効果の向上とを同時に実現することが出来る。
【００９１】
なお、上述の傾き角度αと吐出角度βとの関係については適宜決定して組み合わせれば良い。例えば、吐出口１５３から吐出された洗浄液１３２が擦掃部１０６に触れることなく、被洗浄箇所に向けて直接吐出されるような角度の組み合わせとしても良い。また、擦掃部１０６の上面１６１から下面１６２又は先端部１６３に向けて貫通孔を設け、吐出口１５３から吐出された洗浄液１３２が、擦掃部１０６に設けられた貫通孔内を通って被洗浄箇所に向けて吐出されるように構成しても良い。
【００９２】
以上示した２つの実施形態においては、洗浄用具を用いてトイレ便器を洗浄する形態を例に説明しているが、トイレ便器以外の複雑な形状を持つ対象物を洗浄した場合においても同様の効果が得られることは言うまでも無い。
【実施例】
【００９３】
以下、上述した第１および第２の実施形態に関して、実施例として本発明の洗浄用具の具体的な構成を列記する。なお、本発明はこうした構成に限定されるものではもちろんない。
（実施例１）
擦掃部素材：  基台部側より順に「セル膜除去ウレタンスポンジ（商品名：モルトフィルター脱膜ウレタン（セル数７個／インチ(株)イノアックコーポレーション製）」＋「ウレタンスポンジ（商品名：モルトプレンＳＣ（(株)イノアックコーポレーション製）」＋「不織布（商品名：ＫＨ９０−２５３Ｓ（金井重要工業(株)製）」
擦掃部厚さ：  基台部側より順に、モルトフィルター脱膜ウレタン22mm，モルトプレンＳＣ３mm，不織布５mm
擦掃部形状：  上面よりの投影図がφ80mmの歯車型
擦掃部着脱機構：  擦掃部の上面側に基台部が靴を履くように嵌め込まれるための部材を接着し、その部材に基台部を嵌め込み、擦掃部後方から、ネジにて固定する。
擦掃部と基台部の接合位置：  基台部は擦掃部の上面中央に深さ１０〜１５ｍｍの位置まで潜るように入り込み、擦掃部の着脱のための部材にはめ込まれ固定される。
擦掃部と把持部の角度： １擦掃部の下面と把持部の軸方向との成す角度は７０度、擦掃部の下面とアーム部が基台部と接続されるアーム部の軸方向との成す角度が４０度、擦掃部上面より５０ｍｍの位置でアーム部の角度を滑らかに７０度→４０度に変える。
洗浄剤容量：  ８０ｍｌ
洗浄剤容器径：  φ３６ｍｍ
容器接続：  ネジ式
全長（最大長）：  （擦掃部および容器含む）４４０ｍｍ
洗浄剤吐出方法：  トリガー式
洗浄剤吐出操作部位置：  容器底部よりトリガーまでの距離が１２０ｍｍ
吐出口位置：  基台部底面より上20mm、基台部内部にあり、外部に突出していない。
吐出口形状：  φ０．５ｍｍ〜３ｍｍの円形
吐出口向き：  擦掃部上面に対して２５度の角度
洗浄剤の掛かる位置：  擦掃部上面
洗浄剤組成：  段落「００３１」の（３）に示す組成による
（実施例２）
擦掃部素材：  （実施例１）に同じ      
擦掃部厚さ：  ＭＦ−８  ３０ｍｍ
擦掃部形状：  クローバー型（外接円直径約９６ｍｍ）
擦掃部着脱機構：  （実施例１）に同じ
擦掃部と基台部の接合位置：  （実施例１）に同じ
擦掃部と把持部の角度：  （実施例１）に同じ
洗浄剤容量：  （実施例１）に同じ
洗浄剤容器径：  （実施例１）に同じ
容器接続：  筒部に固定、洗浄剤を入れる補給口を有する
全長（最大長）：  （実施例１）に同じ
洗浄剤吐出方法：  （実施例１）に同じ
洗浄剤吐出操作部位置：  （実施例１）に同じ
吐出口位置：  （実施例１）に同じ
吐出口形状：  （実施例１）に同じ
吐出口向き：  （実施例１）に同じ
洗浄剤の掛かる位置：  （実施例１）に同じ
洗浄剤組成：  （実施例１）に同じ
【図面の簡単な説明】
【００９４】
【図１】本発明の第１実施形態における洗浄用具の一例を示す断面図である。
【図２】図１に示す洗浄用具の要部を示す概略図である。
【図３】本発明の洗浄用具の他例を示す断面図である。
【図４】本発明の洗浄用具の他例を示す断面図である。
【図５】擦掃部の着脱機構のバリエーションを示す平面図である。
【図６】擦掃部の上面形状バリエーションを示す平面図である。
【図７】擦掃部の側面形状バリエーションを示す平面図である。
【図８】本発明の洗浄用具の他例を示す断面図である。
【図９】本発明の洗浄用具の一例を示す概略図である。
【図１０】本発明の洗浄用具の一例を示す概略図である。
【図１１】本発明の洗浄用具の一使用形態を説明する概略図である。
【図１２】本発明の洗浄用具の一使用形態を説明する概略図である。
【図１３】本発明の第２実施形態における洗浄用具の一例を示す断面図である。
【図１４】図１３に示す洗浄用具の要部を示す概略図である。
【図１５】本発明の洗浄用具の他例を示す断面図である。
【図１６】本発明の洗浄用具の他例を示す断面図である。
【図１７】本発明の洗浄用具の一例を示す概略図である。
【図１８】本発明の洗浄用具の一例を示す概略図である。
【図１９】本発明の洗浄用具の一使用形態を説明する概略図である。
【図２０】本発明の洗浄用具の一使用形態を説明する概略図である。
【符号の説明】
【００９５】
１…洗浄用具、２…本体部、２１…筒部、２１ｆ…基端部、２２…アーム部、２３…基台部、３、１３…容器、３２…洗浄剤、４…送液機構、４２…ポンプ（蛇腹式）、４５、４５ａ、４５ｂ…操作部、４６…ポンプ（ディスペンサー式）、４７…送液弁、５…吐出管、５３…吐出口、６…擦掃部、６１…上面、６３…先端面、１０１…洗浄用具、１０２…本体部、１２１…筒部、１２１ｆ…基端部、１２２…アーム部、１２３…基台部、１０３、１１３…容器、１３２…洗浄剤、１０４…送液機構、１４２…ポンプ（蛇腹式）、１４５、１４５ａ、１４５ｂ…操作部、１４６…ポンプ（ディスペンサー式）、１４７…送液弁、１０５…吐出管、１５３…吐出口、１０６…擦掃部、１６１…上面、１６３…先端面。
【図１】
2007037967.tif 000003
【図２】
2007037967.tif 000004
【図３】
2007037967.tif 000005
【図４】
2007037967.tif 000006
【図５】
2007037967.tif 000007
【図６】
2007037967.tif 000008
【図７】
2007037967.tif 000009
【図８】
2007037967.tif 000010
【図９】
2007037967.tif 000011
【図１０】
2007037967.tif 000012
【図１１】
2007037967.tif 000013
【図１２】
2007037967.tif 000014
【図１３】
2007037967.tif 000015
【図１４】
2007037967.tif 000016
【図１５】
2007037967.tif 000017
【図１６】
2007037967.tif 000018
【図１７】
2007037967.tif 000019
【図１８】
2007037967.tif 000020
【図１９】
2007037967.tif 000021
【図２０】
2007037967.tif 000022